(57)【要約】【課題】カバー付きコネクタに於て、コンタクトの静電破壊防止を図る。【解決手段】本発明は、外側面をシールドケース３で被覆されたコネクタ本体２の中央部にコンタクト５，５…が設けられると共に、該コンタクト５，５…を遮蔽するカバー６が配設され、プラグとの接続動作に連動して該カバー６の遮蔽を解放するように構成したカバー付きコネクタ１に於て、前記カバー６に金属シールド９を取り付けたカバー付きコネクタを提供する。【選択図】  図２
2005025994.tif 000002
【特許請求の範囲】
【請求項１】
外側面をシールドケースで被覆されたコネクタ本体の中央部にコンタクトが設けられると共に、該コンタクトを遮蔽するカバーが配設され、プラグとの接続動作に連動して該カバーの遮蔽を解放するように構成したカバー付きコネクタに於て、前記カバーに金属シールドを取り付けたことを特徴とするカバー付きコネクタ。
【請求項２】
上記金属シールドは上記カバーに取り付けるための係合リブを備え、一方、上記カバーには該係合リブを係合させる突起が形成されていることを特徴とする請求項１記載のカバー付きコネクタ。
【請求項３】
上記金属シールドは上記シールドケースに常時接触する接触部を備えていることを特徴とする請求項１又は２記載のカバー付きコネクタ。
【発明の詳細な説明】
【０００１】
【発明の属する技術分野】
この発明は、カバー付きコネクタに関するものであり、特に、外側面をシールドケースで被覆されたコネクタ本体の中央部にコンタクトが設けられると共に、該コンタクトを遮蔽するカバーが配設され、プラグとの接続動作に連動して該カバーの遮蔽を解放するように構成したカバー付きコネクタに於て、コンタクトの静電破壊防止を図ったカバー付きコネクタに関するものである。
【０００２】
【従来の技術及び発明が解決しようとする課題】
従来の此種コネクタは種々知られているが、例えば、特許文献１には、ソケットとプラグとの接続動作に連動しシャッタを開放して該ソケットとプラグを接続するようにしたシャッタ付きコネクタが記載されており、該シャッタ付きコネクタは該シャッタの閉鎖時に該シャッタのスライドによる開放をロックし、且つ、前記プラグと前記ソケットとの接続動作に連動して該シャッタのロックを解除するロックカバーが設けられている。
【０００３】
前記シャッタ付きコネクタは、前記シャッタによって、ソケットのコンタクトに導電体が接触することを防止し、又は、ソケット内にゴミが入って短絡や接触不良等の事故が発生することを防止している。
【０００４】
然しながら、該シャッタ付きコネクタは前記シャッタに前記プラグ又は他の物体が接触することによって静電気が発生し、コンタクト等の静電破壊を引き起こす虞があった。
【０００５】
そこで、カバー付きコネクタに於て、コンタクトの静電破壊防止を図るために解決すべき技術的課題が生じてくるのであり、本発明はこの課題を解決することを目的とする。
【０００６】
【特許文献１】
特開２００２−１１７９３１号公報  （第１−７頁、第１−６図）
【０００７】
【課題を解決するための手段】
本発明は上記目的を達成するために提案されたものであり、請求項１記載の発明は、外側面をシールドケースで被覆されたコネクタ本体の中央部にコンタクトが設けられると共に、該コンタクトを遮蔽するカバーが配設され、プラグとの接続動作に連動して該カバーの遮蔽を解放するように構成したカバー付きコネクタに於て、前記カバーに金属シールドを取り付けたカバー付きコネクタである。
【０００８】
該請求項１記載の発明によれば、前記金属シールドによって、コンタクトの静電破壊防止を図ることができる。
【０００９】
又、請求項２記載の発明は、上記金属シールドは上記カバーに取り付けるための係合リブを備え、一方、上記カバーには該係合リブを係合させる突起が形成されている請求項１記載のカバー付きコネクタである。
【００１０】
該請求項２記載の発明によれば、前記係合リブによって前記金属シールドを前記カバーに容易、且つ、確実に取り付けることができる。
【００１１】
更に、請求項３記載の発明は、上記金属シールドは上記シールドケースに常時接触する接触部を備えている請求項１又は２記載のカバー付きコネクタである。
【００１２】
該請求項３記載の発明によれば、前記金属シールドの静電気を前記シールドケースに逃がすことができる。
【００１３】
【発明の実施の形態】
以下、本発明の一実施の形態を図１乃至図６に従って詳述する。図１及び図２に於て、１はＭＤ（光磁気型記憶装置）、又は、ビデオカメラの充電用等に用いられるカバー付きコネクタであり、該カバー付きコネクタ１は、中央前方（図２に於て左方）に突設部２ａを有するコネクタ本体２の外側面が四角筒状の組立体であるシールドケース３で被蔽され、該シールドケース３が該コネクタ本体２の前方に延びて嵌合穴４が形成され、該嵌合穴４の中央部に前記コネクタ本体２の突設部２ａの上下面に固設されたコンタクト５，５…が配設されている。
【００１４】
そして、該嵌合穴４内に該コンタクト５，５…を前方で遮蔽するカバー６が摺動自在に配設され、該カバー６は該カバー付きコネクタ１とプラグ（図示せず）との接続動作に連動して後方に摺動し前記コンタクト５の遮蔽を解放するように構成されている。
【００１５】
更に、該カバー６は、図３に示す如く、該カバー６の本体部６ａが略平板状に形成され、且つ、該本体部６ａ中央部に前記コンタクト５の前部を貫通させて露出させる貫通孔７が形成され、又、該本体部６ａの左右後面にコイルバネ支承部８，８が突設されている。そして、前記カバー６には左右上下端に突起６ｂ，６ｂ…が形成されている。
【００１６】
更に又、該カバー６の前面には図４に示す金属シールド９が取り付けられる。該金属シールド９は前記カバー６の貫通孔７よりもやや大きい貫通孔１０が形成されると共に、該カバー６に取り付けるための係合リブ１１，１１…が上下側辺から後方に突設し、更に、該金属シールド９を前記シールドケース３に常時接触させるための接触部１２，１２…が該金属シールド９の左右側辺から斜め後方に拡開する如く突設して形成されている。
【００１７】
そして、前記係合リブ１１，１１…の左右上端には前記カバー６の左右上端の突起６ｂ，６ｂに係合させる係合凹部１１ａ，１１ａが形成され、左右下端には前記カバー６の左右下端の突起６ｂ，６ｂに係合させる係合孔１１ｂ，１１ｂが形成され、前記係合リブ１１，１１…が弾性変形することにより該係合凹部１１ａ，１１ａ及び該係合孔１１ｂ，１１ｂが夫々前記突起６ｂ，６ｂ…に係合して前記金属シールド９は前記カバー６に取り付けられる。
【００１８】
而して、図５及び図６（ａ）に示す如く、前記コネクタ本体２左右側部と前記カバー６の前記コイルバネ支承部８，８間にコイルバネ１３，１３を装着すると、該カバー６は該コイルバネ１３，１３によって前方に付勢され、前記シールドケース３の開口部３ａの左右下端近傍に上方に向かって突設されたストッパー１４，１４によって停止する。
【００１９】
そして、プラグによって前記金属シールド９が取り付けられた前記カバー６が後方に押されると該金属シールド９及び該カバー６は前記嵌合穴４の後部方向に押されて図６（ｂ）に示す後部所定位置で停止し、この時、前記コンタクト５の前部が前記カバー６の前記貫通孔７及び前記金属シールド９の前記貫通孔１０を貫通して前方に露出し、該コンタクト５が前記プラグのコンタクトと接続される。
【００２０】
この時、前記金属シールド９の接触部１２，１２…は前記シールドケース３に常時接触して導通しており、該金属シールド９に前記プラグ、又は、他の物体が接触して静電気が発生した時、該金属シールド９の静電気を前記シールドケース３に逃がすことができ、これによって前記コンタクト５の破壊を防止することができる。
【００２１】
斯くして、前記カバー付きコネクタ１は前記カバー６によって、ダストの流入防止が図れると共に、前記金属シールド９によって前記コンタクト５の静電破壊防止を図ることができる。
【００２２】
又、前記係合リブ１１，１１…によって前記金属シールド９を前記カバー６に容易、且つ、確実に取り付けることができる。
【００２３】
尚、本発明は、本発明の精神を逸脱しない限り種々の改変を為すことができ、そして、本発明が該改変されたものに及ぶことは当然である。
【００２４】
【発明の効果】
本発明は上記一実施の形態に詳述したように、請求項１記載の発明は、外側面をシールドケースで被覆されたコネクタ本体の中央部にコンタクトが設けられると共に、該コンタクトを遮蔽するカバーが配設され、プラグとの接続動作に連動して該カバーの遮蔽を解放するように構成したカバー付きコネクタに於て、前記カバーに金属シールドを取り付けたので、該金属シールドによって、前記コンタクトの静電破壊防止を図ることができる。
【００２５】
又、請求項２記載の発明は、上記金属シールドは上記カバーに取り付けるための係合リブを備え、一方、上記カバーには該係合リブを係合させる突起が形成されているので、請求項１記載の発明の効果に加え、前記係合リブによって前記金属シールドを前記カバーに容易、且つ、確実に取り付けることができる。
【００２６】
更に、請求項３記載の発明は、上記金属シールドは上記シールドケースに常時接触する接触部を備えているので、請求項１又は２記載の発明の効果に加え、前記金属シールドの静電気を常時前記シールドケースに逃がすことができる等、正に著大なる効果を奏する発明である。
【図面の簡単な説明】
【図１】（ａ）本発明の一実施の形態を示し、カバー付きコネクタの平面図。
（ｂ）本発明の一実施の形態を示し、カバー付きコネクタの正面図。
（ｃ）図１（ｂ）に示すカバー付きコネクタの側面図。
【図２】図１（ｂ）のＡ−Ａ線縦断面図。
【図３】（ａ）図２に示すカバーの平面図。
（ｂ）図２に示すカバーの正面図。
【図４】（ａ）図１に示す金属シールドの平面図。
（ｂ）図１に示す金属シールドの正面図。
【図５】図１（ｂ）のＢ−Ｂ線縦断面図。
【図６】（ａ）本発明の一実施の形態を示し、カバーが摺動する前のカバー付きコネクタの平面図。
（ｂ）本発明の一実施の形態を示し、カバーが摺動した後のカバー付きコネクタの平面図。
【符号の説明】
１          カバー付きコネクタ
２          コネクタ本体
３          シールドケース
５          コンタクト
６          カバー
９          金属シールド
１１          係合リブ
１２          接触部
【図１】
2005025994.tif 000003
【図２】
2005025994.tif 000004
【図３】
2005025994.tif 000005
【図４】
2005025994.tif 000006
【図５】
2005025994.tif 000007
【図６】
2005025994.tif 000008